(57)【要約】【課題】デジタル放送受信装置のＩＣカード部を使用して、手軽にＥＴＣカードの正確な残高をユーザーに知らせる。【解決手段】ＥＴＣカードに係るＥＴＣを利用した履歴を表す利用明細情報が記憶されたＥＴＣカードの情報を読み出すＩＣカード部６とインターネット接続機能を持つデジタル放送受信装置において、選局制御部４はＥＴＣカードが、ＩＣカード部６に挿入されたことを検出し、通信部５にサーバ８との間で通信を行わせ、残高照会を行い、その結果を画面表示しユーザーに知らせる。【選択図】図１
2007110306.tif 000002
【特許請求の範囲】
【請求項１】
デジタルテレビジョン放送を受信するチューナ部と、多重された受信情報を分離する多重化信号分離部と、映像・音声データのＭＰＥＧ復調を行うＭＰＥＧデコーダ部とインターネット接続でサーバ間との通信を行う通信手段と、前記通信手段にサーバとの間で通信を行わせる選局制御手段と、ＥＴＣカードに係るＥＴＣを利用した履歴を表す利用明細情報が記憶されたＥＴＣカードの情報を読み出すインターフェイスを持ったＩＣカード部とを備えたデジタル放送受信機において、ＥＴＣカードの残高照会を、上記インターネット接続機能を有する通信手段により、残高照会を行い、その結果を画面表示しユーザーに知らせることを特徴とするデジタル放送受信装置。
【請求項２】
請求項１に記載したデジタル放送受信システムにおいて、
ＥＴＣカードが挿入されると同時に通信手段によりサーバー間と通信を行い、残高照会の結果をユーザーに知らせることを特徴とするデジタル放送受信装置。
【発明の詳細な説明】
【技術分野】
【０００１】
本発明は、通信手段によりサーバにＥＴＣカード残高を照会する機能を有するデジタル放送受信装置に関する。
【背景技術】
【０００２】
現在、デジタル放送受信装置は、ＩＣカード部を有するものが、一般的であり、０４年４月のＲＭＰ対応でＢＳデジタル放送、１１０度ＣＳデジタル放送、地上デジタル放送はＢ−ＣＡＳカードがないと視聴できなくなっている。また様々な分野でＩＣカードが流通しており、今やＩＣカード必須の時代である。例えば、従来より、ＥＴＣ（Ｅｌｅｃｔｏｒｏｎｉｃ  Ｔｏｌｌ  Ｃｏｌｌｅｃｔｉｏｎ  Ｓｙｓｔｅｍ）を利用する際の有料道路の通行料金は、前払いにより支払うシステムが供されている。このシステムにおいて、ユーザーは、ＥＴＣを利用する事前の手続きとして、例えばインターネットを利用してユーザー登録し、前払い手続きを行うことにより、これ以降、ＥＴＣカードをＥＴＣ車載器に装着してＥＴＣを利用したときには、ＥＴＣを利用した際の有料道路の通行料金をサーバにて自動的に引落とさせることができ、有料道路の通行料金を正規に支払うことができる。
【０００３】
ところで、このような有料道路の通行料金を前払いにより支払うシステムにおいては、サーバにてＥＴＣカードの残高が管理されているため、ユーザーは、ＥＴＣカードの正確な残高を知るためには、例えば図２のような手順で、インターネットを利用して、残高を確認する必要がある。
【特許文献１】特開２００４−１１８６７８号公報
【発明の開示】
【発明が解決しようとする課題】
【０００４】
しかしながら、従来の実施例のようにＥＴＣを利用する毎に家庭用コンピュータで残高照会を行うのは、ユーザーにとって必ずしも手軽であるとは言いがたい。また、コンピュータの知識のないユーザーには困難な手段である。
【０００５】
本発明は、上記の事情を改善するためのものであり、デジタルテレビを使用してＥＴＣカードの正確な残高を手軽にユーザーに知らせることができるデジタル放送受信装置を提供することにある。
【課題を解決するための手段】
【０００６】
請求項１に記載したデジタル放送受信装置によれば、選局制御部は、ユーザーにより残高照会をサーバに行わせるための所定操作が行われるとＥＴＣカードに記憶されている情報を読み出し、通信部からインターネット接続を行い、サーバと通信しサーバからＥＴＣカードの残高が通知されることにより、ＥＴＣカードの正確な残高をユーザーに適切に知らせることができる。
【０００７】
請求項２に記載したデジタル放送受信装置によれば、ＥＴＣカードが挿入されたことを検出すると直ちにＥＴＣカードに記憶されている情報を読み出し、通信部からインターネット接続を行い、サーバと通信しサーバからＥＴＣカードの残高が通知されることにより、ＥＴＣカードの正確な残高をユーザーに適切に知らせることができる。
【発明の効果】
【０００８】
以上説明したように、本発明によれば、コンピュータの知識のないユーザーも、デジタル放送受信機により、手軽にＥＴＣカードの残高を知ることが出来る。
【発明を実施するための最良の形態】
【０００９】
以下、本発明の実施の形態について説明する。
【００１０】
図１は、本発明の一実施の形態によるＥＴＣ（Ｅｌｅｃｔｏｒｏｎｉｃ  Ｔｏｌｌ  Ｃｏｌｌｅｃｔｉｏｎ  Ｓｙｓｔｅｍ）残高照会機能付きデジタル放送受信装置の要部の構成を示すブロック図である。
【００１１】
チューナ部１は、選局制御部４の制御によりユーザーが希望する番組を含む伝送チャンネルを選局し、多重化信号分離部２では、トランスポートストリーム（ＴＳ）から映像，音声データ及び番組情報等の制御データを分離し、映像，音声データをＭＰＥＧデコーダ部３へＴＳを供給している。ＭＰＥＧデコーダ部３ではＭＰＥＧ復調を行い、映像音声信号を得て、テレビジョン受信機７へ映像音声を出力する。また選局制御部４は、ＥＴＣカードインターフェイスを有し、ＩＣカード部６よりＥＴＣカードの情報を読み出す。また、通信部５はインターネット接続機能を持つ。
【００１２】
（実施の形態）
図１のように構成されたデジタル放送受信装置について、図３、図４のフローチャートを参照しながら説明する。まず、選局制御部４は、ＥＴＣカードがＩＣカード部６に装着された旨を検出すると（ステップ１）、ステップ２において選局制御部４は、ＩＣカード部６よりＥＴＣカードの認証を行う。この場合、装着されたＥＴＣカードの認証とは、ＥＴＣカードに記憶されている当該ＥＴＣカードを識別するためのＥＴＣ識別情報が正規の表記であるか否かの認証などである。
【００１３】
次に、選局制御部４は、装着されたＥＴＣカードの認証が正しくなければ通常の選局画面に移る。
【００１４】
認証が正しければ、ステップ３において選局制御部４はユーザー情報を読み出す。次にステップ４で、あらかじめユーザーによりインターネット接続の自動接続が有効に設定されていれば、ステップ７に移行する。自動接続が有効に設定されていなければ、ステップ５に移行する。ステップ５において、選局制御部４は、図５のような残高照会を行うかどうかの画面表示を行う。残高照会を行わないことが選択されると通常の選局画面に移る。残高照会を行うことが選択されると、ステップ６で、選局制御部４は、ユーザーが表示画面上での操作により、残高照会を行わせる操作が行われた旨を検出する。次に選局制御部４は、通信部５からインターネット接続を行い（ステップ７）、サーバ８と通信を行う。尚、この場合、残高照会信号には、上記したＥＴＣカードを識別するためのＥＴＣカード識別情報が格納されている。サーバ８は、このようにして通信部５から送信された残高照会信号が受信された旨を検出すると、ＥＴＣカード識別情報を解析し、該当するＥＴＣカードの残高照会を行う。つまり、サーバ８は、該当するＥＴＣカードの残高を検索し、該当するＥＴＣカードの残高を表す残高データが格納された残高信号を通信部５に送信する。ステップ８において選局制御部４は、このようにしてサーバ８から送信された残高信号が通信部５により受信された旨を検出すると受信された残高信号から残高データを抽出しテレビジョン受信機７に図６のような画面表示を行う。
【００１５】
画面表示された残高情報は、ステップ９にてユーザーにより別の操作が行われると通常の選局画面に戻る。
【００１６】
なお、ＩＣカード部は、放送用のＩＣカードと別のものを設置してもよい。
【産業上の利用可能性】
【００１７】
本発明にかかるＥＴＣ残高照会機能付きデジタル放送受信装置によれば、コンピュータの知識のないユーザーも、デジタル放送受信機により、手軽にＥＴＣカードの残高を知ることが出来るものであり、通信手段によりサーバにＥＴＣカード残高を照会する機能を有するデジタル放送受信装置において有用である。
【図面の簡単な説明】
【００１８】
【図１】本発明の実施の形態のデジタル放送受信装置の要部の構成を示すブロック図
【図２】従来の実施例を示すフローチャート
【図３】同実施の形態の制御手順を示す第１のフローチャート
【図４】同実施の形態の制御手順を示す第２のフローチャート
【図５】同実施の形態の画面表示例を表す図
【図６】同実施の形態の画面表示例を表す図
【符号の説明】
【００１９】
１    チューナ部
２    多重信号分離部
３    ＭＰＥＧデコーダ部
４    選局制御部
５    通信部
６    ＩＣカード部
７    テレビジョン受信機
８    サーバ
【図１】
2007110306.tif 000003
【図２】
2007110306.tif 000004
【図３】
2007110306.tif 000005
【図４】
2007110306.tif 000006
【図５】
2007110306.tif 000007
【図６】
2007110306.tif 000008